(57)【要約】【課題】  小型、薄型の電子機器において、電池の挿入方向をコストを掛けずに見栄え良く表示する。【解決手段】  電池ケースの一面をプリント基板で構成するとともに、該プリント基板上に貼られた絶縁用のシートにバッテリーの挿入方向を示す穴をあけておく。【選択図】  図３
2006100103.tif 000002
【特許請求の範囲】
【請求項１】
バッテリーの挿入口と該挿入口に対向する面以外に開口部を持つ電池ケースと、該開口部をふさぐように配置されるプリント基板と、該プリント基板上の前記電池ケース側の面に貼付された、前記開口部と略同一の大きさの絶縁シートとからなるバッテリー収納部において、前記プリント基板上の前記絶縁シートには、所定の形状が抜き落とされていることを特徴とするバッテリー収納部。
【請求項２】
前記バッテリー収納部は収納するバッテリーを挿入口よりバッテリーの長手方向に沿って挿入することを特徴とすることを特徴とする請求項１に記載のバッテリー収納部。
【請求項３】
前記絶縁シートにおいて抜き落とされた所定の形状は、前記バッテリー収納部に収納されるバッテリーの挿入方向を示すマークであることを特徴とする請求項１に記載のバッテリー収納部。
【請求項４】
前記絶縁シートにおいて抜き落とされた所定の形状の位置は、前記バッテリー収納部に収納されるバッテリー上に表示された所定のマークと、電池ケース側壁からの距離が略同一であることを特徴とする請求項１に記載のバッテリー収納部。
【請求項５】
前記プリント基板上において、前記絶縁シートから所定の形状が抜き落とされた位置にはシルク印刷が施されていることを特徴とする請求項１に記載のバッテリー収納部。
【請求項６】
前記絶縁シートから抜き落とされた部分は前記プリント基板に穿たれたスルーホールがないことを特徴とする請求項１に記載のバッテリー収納部。
【請求項７】
請求項１乃至６のいずれかに記載のバッテリー収納部をもつことを特徴とする電子機器。
【発明の詳細な説明】
【技術分野】
【０００１】
本発明は、電子機器に収納されるバッテリーの挿入方向を示すための構造に関する。
【背景技術】
【０００２】
デジタルカメラ等の携帯可能な電子機器においては、バッテリーを本体内に収納して使用するものが多くあり、随時交換して使用している。
【０００３】
上記バッテリーは各種のものがあり、機器に対して正しく装着して使うために、装着場所に正しい装着方法を表示することが一般的である。また、バッテリーを蓋の内部に収める電子機器の場合、見栄えを考えて、蓋の内部の差込口の周囲にシールや、部材に対する彫りこみ等で挿入方向を指示することが多い。
【０００４】
一方、電子機器の小型化、薄型化に伴い、差込口の周囲に挿入方向を指示するスペースが無くなってきており、〔非特許文献１〕や〔非特許文献２〕に示すデジタルカメラでは、バッテリー挿入口内部にバッテリーの挿入方向を示すことが行われている。
【非特許文献１】カシオ計算機株式会社  ＥＸ−Ｓ３（製品名）
【非特許文献２】カシオ計算機株式会社  ＥＸ−Ｓ２０（製品名）
【発明の開示】
【発明が解決しようとする課題】
【０００５】
ところで〔非特許文献１〕や〔非特許文献２〕に示すデジタルカメラでは、電池ケースの１面をプリント基板で構成しその基板上に電池の挿入方向を表示しているが、〔非特許文献１〕の場合では、プリント基板上に電池の挿入方向を示すシールを貼り付けているためシールの印刷コストが必要である。一方、〔非特許文献２〕の場合はプリント基板上にシルク印刷で電池の挿入方向を示しているため、コストはほとんどかからないが、基板上のシルク印刷がはがれやすいという課題があった。
【課題を解決するための手段】
【０００６】
上記の課題を解決するために、バッテリーの挿入口と該挿入口に対向する面以外に開口部を持つ電池ケースと、該開口部をふさぐように配置されるプリント基板と、該プリント基板上の前記電池ケース側の面に貼付された、前記開口部と略同一の大きさの絶縁シートとからなるバッテリー収納部において、前記プリント基板上の前記絶縁シートには、所定の形状が抜き落とされていることを特徴とするバッテリー収納部を提供する。
【発明の効果】
【０００７】
本発明によれば、小型の電子機器においてもバッテリーの挿入方向を新たなコストをかけずに見栄え良く表示できるものである。
【発明を実施するための最良の形態】
【０００８】
以下の実施例に示す通りである。
【実施例】
【０００９】
図１および図２は本発明の一実施例に係わるカメラを正面側および背面側より見て示す分解斜視図である。これらの図において、１はカメラの正面側を覆うフロントカバー、２は裏側を覆うリアカバーである。３は撮影レンズ等を保持する鏡筒ユニットであり、ファインダユニット４、鏡筒を駆動させるためのズームモータ５およびギヤユニット６が一体的に組み付けられおり、固定ねじ７ａ，７ｂ，７ｃによりベース部材８に固定される。
【００１０】
９は電池５１を保持するための電池ケースであり、電源基板ユニット１０を挟んでねじ１１ａおよび１１ｂによってベース部材８に固定される。この周囲の詳細を図３を用いて説明する。図は電池ケース９から電源基板ユニット９を取り外した状態を示している。図３に示すように、電池ケース９の一面には壁のない開口部９ａがあり、電源基板ユニット１０のプリント基板１０ｃによって蓋がされるように構成されている。該、プリント基板１０ｃの電池ケース９側には、電源コネクタ５６および映像、音声のジャック５７が実装され、電池ケース９の凹部９ｂおよび９ｃに組み合わせられるように配されている。このように電池ケースの一面をプリント基板とすることによりカメラの厚みを電池ケースの壁の厚さ分薄くすることができる。一方、該プリント基板１１ｃの電池ケース９の開口部９ａに対応する部分には絶縁シート５３が貼られている。これはプリント基板１０ｃ上にスルーホールがあるため、この部分のレジストリにピンホールができる可能性があり、それをカバーするために貼られている。そして該絶縁シート５３には略三角形のバッテリー挿入方向指示マーク５３ａが切り出し時に開けられていて、バッテリー挿入時にバッテリー５１の表面に描かれた△マーク５１ａと合わせることでバッテリーが正しい向きに挿入されることをユーザーに示すようになっている。当然のことながら、前記バッテリー挿入方向指示マーク５３ａはプリント基板１０ｃ上にあけられたスルーホールを避けるとともに、前記バッテリー５１の表面に描かれた△マーク５１ａと、壁からの距離が略同一となるように配されている。また、バッテリー挿入方向指示マーク５３ａの部分のプリント基板１０ｃ上にシルク印刷を行うことで視認性や見栄をさらに向上することも可能である。
【００１１】
１２はストロボ発光部１３が上部に配されたストロボユニットであり、下方に伸びたフレーム部分にストロボ回路を実装したストロボ用フレキシブル基板１４が貼り付けられるとともに、ストロボ用コンデンサ１５が固定されている。そしてこのストロボユニット１２は、鏡筒ユニット３に組み付けられたギアユニット６およびズームモータ５の前面に配され、側面よりビス１６によりベース部材８に固定されている。この際、ストロボ発光部１３の幅はその後部に配置されている前記ギアユニット６およびズームモータ５を合わせた幅と略同一としているため、これらがスペースの無駄なく配置されている。
【００１２】
１７は、ＣＰＵやメモリ、画像処理ＬＳＩ等が実装されたメイン基板であり、背面に外部メモリであるＳＤメモリカード１７ｂのスロット１７ａおよびＵＳＢコネクタ１７ｃが実装されており、ねじ１８ａ，１８ｂ，１８ｃによって電池ケース９およびベース部材８にねじ止めされる。１９は、レリーズスイッチ、電源スイッチ等を実装した操作用フレキシブル基板である。２０はスピーカーであり、その端子部には操作用フレキシブル基板１９の一端が半田付けされている。
【００１３】
２１はシリコンゴムで作成された操作ボタンベース部材であり、十字キー２２、センタキー２３、押しボタン２４，２５等の操作ボタンが貼り付けられている。そしてこの操作ボタンベース部材２１は、背面に該操作ボタンベース部材２１に貼り付けられた上記各ボタン類に対応する位置に、ドーム状の金属の皿（メタルドーム）が貼り付けられていて、各操作ボタンを押すとメタルドームが上記操作用フレキシブル基板１９上のパターンに接触して通電するように構成されている。また、操作ボタンベース部材２１は、その一部２１ａがスピーカー２０の縁を覆うように構成されており、スピーカー２０とリアカバー２の隙間を塞ぐ緩衝材の役目を果たしている。これにより、従来スピーカー上部に貼り付けられ、音漏れの防止などの役割を果たしていたウレタンフォームなどの緩衝部材を省略することが可能となった。
【００１４】
２６はその中心部に導光部材２７が貼り付けられた発光ボタンであり、他の押しボタンが配された操作用フレキシブル基板１９より奥に配置された電源基板ユニット１０上に実装されたタクトスイッチ１０ａを導光部材２７によって押すように構成されている。そしてタクトスイッチ１０ａの横にはＬＥＤ１０ｂが配されており、導光部材２７を通してＬＥＤ１０ｂから発せられた光が発光ボタン２６の表面に導かれる。発光ボタン２６はそのベース部分がねじ２８によってベース部材８に固定される。
【００１５】
２９はＬＣＤパネルであり、不図示のバックライトとともにＬＣＤホルダー３０に保持されている。ＬＣＤホルダー３０は、ねじ３１によってベース部材８に固定される。３２はカメラの動作モードを切り換えるモード切換えボタンであり、図２中、略左右に動かすことで静止画撮影、動画撮影、画像再生に切り換え可能である。このモード切換えボタン３２は、背面の固定板３３とともにリアカバー２を挟み込むことで左右に移動を可能とするように構成されるとともに、切り欠き部３３ａが操作用フレキシブル基板１９上に実装されたモード切換えボタン３２の腕部を加えることでスイッチ部を切り換え可能に構成されている。
【００１６】
３４は、ズームダイアル３５、レリーズボタン３６、パワーボタン３７を保持するボタン保持部材であり、電池ケース９の上面に操作用フレキシブル基板１９を挟んで配置される。また、ボタン保持部材３４は、その側部にＵＳＢコネクタ１７ｃおよび映像と音声のジャック５７が収納されるジャック収納部を有するとともに、それらをカバーするためのジャックカバー３８が引き出し可能なように配されている。
【００１７】
４１はストラップ４２が取り付けられる表面がＲ面をした長方形状のストラップ取付部材であり、強度とデザイン上の観点からダイキャストにより成型されている。このストラップ取付部材４１は、ストラップ４２の環状の細紐の先端部が巻き付けられる棒形状部４１ａが略中央を横断するようにして形成された開口部４１ｂを有している。また、ストラップ取付部材４１には、このストラップ取付部材４１をべース部材８にねじ４４ａ，４４ｂによって取り付ける際に用いられるねじ穴が、上記棒形状部４１ａの略延長上に穿孔されている。これにより、ストラップ４２にてストラップ取付部材４１を引っ張る力を効率的にカメラ本体に伝えることが可能となる。
【００１８】
４３は円弧状（または半球でもよい）の凹み部４３ａをもつインナー部材であり、ストラップ取付部材４１の背面側より開口部４１ｂに嵌め込まれる。インナー部材４３がストラップ取付部材４１に嵌め込まれた際、凹み部４３ａおよび開口部４１ｂが、ストラップ４２の先端部４２ａを棒形状部４１ａの下をもぐるようにして開口部４１ｂの一方から他方へ案内する連通穴を形成する。４５は三脚取り付け用のねじが切られた三脚取り付け座である。
【００１９】
上記実施例によれば、電池ケースの一面をプリント基板で構成するとともに、該プリント基板上に貼られた絶縁用のシートにバッテリーの挿入方向を示す穴をあけておくことで、小型、薄型のカメラにおいてもバッテリーの挿入方向をコストを掛けずに表示することが可能となる。
【図面の簡単な説明】
【００２０】
【図１】本発明の一実施例に係わるカメラの正面側から見て示す分解斜視図である。
【図２】本発明の一実施例に係わるカメラの背面側から見て示す分解斜視図である。
【図３】図１のカメラに適用される電池ケースと電源基板ユニットの関係を示した図である。
【符号の説明】
【００２１】
１  フロントカバー
２  リアカバー
８  ベース部材
９  電池ケース
９ａ  電池ケースの開口部
１０  電源基板ユニット
１０ｃ  プリント基板
５１  バッテリー
５１ａ  △マーク
５３  絶縁シート
５３ａ  バッテリー挿入方向指示マーク
５６  電源コネクタ
５７  映像、音声ジャック
【図１】
2006100103.tif 000003
【図２】
2006100103.tif 000004
【図３】
2006100103.tif 000005